(57)【要約】【課題】  磁気テープの巻き緩みを確実に防止することができる磁気テープカセットを提供する。【解決手段】  上ハーフ１２と下ハーフ１３とを蓋合わせ状に結合して形成されたカセットケース１１と、カセットケース１１内に回転可能に配され、磁気テープ１５を巻回した一対の巻取ハブ１４と、巻取ハブ１４の回転を禁止する制動位置と、巻取ハブ１４の回転を許容する解除位置との間を摺動可能にされ、制動位置に付勢されたブレーキ部材１６とを備え、ブレーキ部材１６には、巻取ハブ１４の周方向に沿って形成された歯車に係合して該巻取ハブ１４の回転を禁止する制動片３３が形成され、巻取ハブ１４の歯車が少なくとも外径の異なる複数の歯面２９，３０を有し、且つ、制動片３３が歯面にそれぞれ係合可能な複数の刃部３４，３５を有している。【選択図】  図３
2005243077.tif 000002
【特許請求の範囲】
【請求項１】
上ハーフと下ハーフとを蓋合わせ状に結合して形成されたカセットケースと、
前記カセットケース内に回転可能に配され、磁気テープを巻回した一対の巻取ハブと、
前記巻取ハブの回転を禁止する制動位置と、前記巻取ハブの回転を許容する解除位置との間を摺動可能にされ、前記制動位置に付勢されたブレーキ部材とを備え、
前記ブレーキ部材には、前記巻取ハブの周方向に沿って形成された歯車に係合して該巻取ハブの回転を禁止する制動片が形成され、前記巻取ハブの前記歯車が少なくとも外径の異なる複数の歯面を有し、且つ、前記制動片が前記歯面にそれぞれ係合可能な複数の刃部を有していることを特徴とする磁気テープカセット。
【請求項２】
上ハーフと下ハーフとを蓋合わせ状に結合して形成されたカセットケースと、
前記カセットケース内に回転可能に配され、磁気テープを巻回した一対の巻取ハブと、
前記巻取ハブの回転を禁止する制動位置と、前記巻取ハブの回転を許容する解除位置との間を摺動可能にされ、前記制動位置に付勢されたブレーキ部材とを備え、
前記ブレーキ部材には、前記巻取ハブに設けられた歯車に係合して該巻取ハブの回転を禁止する制動片が形成され、前記制動片が前記歯車の外径に沿って並列に配された複数の刃部を有することを特徴とする磁気テープカセット。
【発明の詳細な説明】
【技術分野】
【０００１】
本発明は、磁気テープカセットに関し、特に、磁気テープカセットに収容された磁気テープの巻き緩みを防止するために巻取ハブの回転を規制するブレーキ部材を改良した磁気テープカセットに関する。
【背景技術】
【０００２】
従来の磁気テープカセットの一例として、巻取ハブに歯車が形成され、その歯車に係合する制動片を備えた磁気テープカセットが知られている（例えば、特許文献１から３参照）。
【０００３】
図５に従来の磁気テープカセットの分解斜視図を示す。
図５に示すように、従来の磁気テープカセット７０は、上ハーフ７１と下ハーフ７２とから成り、その間に一対の巻取ハブ７３，７３が収容されている。上ハーフ７１の前面側には、カセット非使用時に磁気テープ７４を覆って保護する前蓋７５が支軸７６のまわりに回動可能に取付けられている。また、下ハーフ７２の外側下面には、ケース下側の解放部分をふさいで密閉性を高めるためにスライダ７７が前後方向に摺動可能に取付けられている。
【０００４】
スライダ７７は、下ハーフ７２の底面８２に下側から接してカセット前後方向に摺動する。スライダ７７は、下ハーフ７２に設けられた板ばね８３により前方に付勢されている。スライダ７７は、前方に位置するときに、下ハーフ７２の左右の張出部８４，８４の間の空間およびリール軸挿入孔８５，８５を、防塵のため塞ぐ。
【０００５】
磁気テープカセット７０は、カセット非使用時に、巻取ハブ７３，７３に巻回された磁気テープ７４が巻き緩むのを防止するために、ブレーキ部材７８が上ハーフ７１に付設されている。ブレーキ部材７８は、２つの制動片７９，７９を有し、ブレーキばね８０によって、カセット非使用時において制動片７９、７９を巻取ハブ７３，７３の上部に形成された歯車８１，８１にそれぞれ係合させる位置に付勢されている。ブレーキばね８０は、上ハーフ７１に設けられた突起７１ａに係止されている。ブレーキ部材７８は、制動片７９，７９を巻取ハブ７３、７３の歯車８１，８１に係合させることにより、巻取ハブ７３，７３の回転を禁止して磁気テープ７４の巻き緩みを防止する構成である。
【０００６】
【特許文献１】特開２０００−１７３２３３号公報
【特許文献２】特開平５−１６６３３３号公報
【特許文献３】特開２０００−１４９４８９号公報
【発明の開示】
【発明が解決しようとする課題】
【０００７】
近年、ＤＤＳタイプの磁気テープカセットにおいては、磁気テープの幅寸法を拡大することによって、容量の増大化が図られる傾向にある。
ところが、上記の従来の磁気テープカセット７０の構成では、磁気テープ７４の幅が増大することによって巻取ハブ７３を含めた磁気テープ７４の質量が増大した場合に、巻取ハブ７３の回動する方向の負荷をささえきれず、ブレーキ部材７８の制動片７９が巻取ハブ７３の歯車８１からはずれてしまうことで、磁気テープ７４の巻き緩みが生じてしまうことが懸念されている。
【０００８】
本発明は、このような事情に鑑みてなされたものであり、その目的は、磁気テープの巻き緩みを確実に防止することができる磁気テープカセットを提供することにある。
【課題を解決するための手段】
【０００９】
本発明の上記目的は、上ハーフと下ハーフとを蓋合わせ状に結合して形成されたカセットケースと、カセットケース内に回転可能に配され、磁気テープを巻回した一対の巻取ハブと、巻取ハブの回転を禁止する制動位置と、巻取ハブの回転を許容する解除位置との間を摺動可能にされ、制動位置に付勢されたブレーキ部材とを備え、ブレーキ部材には、巻取ハブの周方向に沿って形成された歯車に係合して該巻取ハブの回転を禁止する制動片が形成され、巻取ハブの前記歯車が少なくとも外径の異なる複数の歯面を有し、且つ、制動片が前記歯面にそれぞれ係合可能な複数の刃部を有していることを特徴とする磁気テープカセットによって達成される。
【００１０】
この磁気テープカセットによれば、ブレーキ部材が制動位置に位置されることにより、ブレーキ部材の制動片に有する複数の刃部が、少なくとも２段からなる外径の異なる複数の歯部にそれぞれ係合され、それによって、巻取ハブの回転が禁止される。従って、磁気テープの幅が増大することによって巻取ハブを含めた磁気テープの質量が増大したとしても、確実な制動を行うことにより磁気テープの巻き緩みを確実に防止することができる。
【００１１】
また、本発明の上記目的は、上ハーフと下ハーフとを蓋合わせ状に結合して形成されたカセットケースと、カセットケース内に回転可能に配され、磁気テープを巻回した一対の巻取ハブと、巻取ハブの回転を禁止する制動位置と、巻取ハブの回転を許容する解除位置との間を摺動可能にされ、制動位置に付勢されたブレーキ部材とを備え、ブレーキ部材には、巻取ハブに設けられた歯車に係合して該巻取ハブの回転を禁止する制動片が形成され、制動片が前記歯車の外径に沿って並列に配された複数の刃部を有することを特徴とする磁気テープカセットによって達成される。
【００１２】
この磁気テープカセットによれば、ブレーキ部材が制動位置に位置されることにより、ブレーキ部材の制動片に、巻取ハブの歯車の外径に沿って並列に配された複数の刃部が、巻取ハブの歯車にそれぞれ係合され、それによって、巻取ハブの回転が禁止される。従って、磁気テープの幅が増大することによって巻取ハブを含めた磁気テープの質量が増大したとしても、確実な制動を行うことにより磁気テープの巻き緩みを確実に防止することができる。
【発明の効果】
【００１３】
本発明の磁気テープカセットによれば、磁気テープの幅が増大することによって巻取ハブを含めた磁気テープの質量が増大した場合に磁気テープと巻取ハブとを制動し難くなる、という問題を解消でき、これにより、確実な制動を行えることにより磁気テープの巻き緩みを確実に防止することができるという効果が得られる。
【発明を実施するための最良の形態】
【００１４】
以下、本発明に係る複数の実施の形態例を図面に基づいて詳細に説明する。図１は、本発明に係る磁気テープカセットの第１実施形態を示す分解斜視図である。図２は、図１に示す磁気テープカセットに用いられるブレーキ部材の斜視図である。
【００１５】
図１に示すように、磁気テープカセット１０は、上ハーフ１２と下ハーフ１３とを蓋合わせ状に結合されて形成されるカセットケース１１を備えている。
【００１６】
磁気テープカセット１０は、長尺の磁気テープ１５の両端部を一対の巻取ハブ１４に固定して磁気テープ１５を両端部からそれぞれの巻取ハブ１４に巻回しており、磁気テープ１５を巻回した一対の巻取ハブ１４を回転可能にカセットケース１１内に収納している。また、一対の巻取ハブ１４の間の磁気テープ１５を所定の経路を通って張架し、図示しない記録再生装置の磁気ヘッドの位置に対応する磁気テープ１５の引き出し部分２０のみが外部に露出可能となるように構成されている。
【００１７】
上ハーフ１２には、露出可能となる磁気テープ１５の引き出し部分２０の磁性層面に手指が接触したり塵埃が付着したりするのを防止するために、ピン２１によって軸支された前面蓋２２が磁気テープ１５の引き出し部分２０を覆う閉位置と、露出させる開位置と、の間を揺動するように設けられている。
【００１８】
下ハーフ１３は、長方形の形状をした底面２３を有しており、この底面２３には、巻取ハブ１４を回転可能に支持するとともに、記録再生装置に磁気テープカセット１０を装填したときに、記録再生装置から図示しないリール軸を巻取ハブ１４に挿入し、巻取ハブ１４を回転駆動するためのリール軸挿入孔２４を有している。
【００１９】
下ハーフ１３の底面２３の左右両端は、前方に伸びるテープ出口部２５になっている。また、左右のテープ出口部２５には、磁気テープ１５をガイドするための円柱状のリブ２６が形成されている。左右のテープ出口部２５同士の間において、磁気テープカセット１０が装填される記録再生装置側に設けられている、所謂テープローディング装置が進入される。
【００２０】
また、下ハーフ１３の底面２３には、図１中上面視において略ハの字状に設けた壁形状の部材２７が立設され、その前方中央に柱形状のリブ２８が形成されている。そして、この柱状のリブ２８と壁形状の部材２７との間にＶ字状のスライダばね１９が挿入される。
【００２１】
磁気テープの走行時には、記録再生装置側から巻取ハブ１４の中心軸に開孔されたリール軸連結孔に駆動軸が挿入されて、巻取ハブ１４が回転駆動され、一方の巻取ハブ１４に磁気テープ１５を巻き取ることによって他方の巻取ハブ１４から繰り出された磁気テープ１５が、磁気テープ１５の引き出し部分２０において記録再生装置の磁気ヘッドに当接して移動し、磁気テープ１５に情報を記録し、あるいは磁気テープ１５から情報を再生する。
【００２２】
スライダ１８は、下ハーフ１３の底面２３の下側の面に設けられ、カセット前後方向に摺動する。スライダ１８は、カセット非使用時に、Ｖ字形状のスライダばね１９によって前方に付勢されている。スライダ１８には、スライダばね１９の付勢力を受けるために、前方に壁状のリブ３８が形成されている。
【００２３】
スライダ１８は、磁気テープカセット１０が記録再生装置に装填されたときに、該記録再生装置側の機構により自動的に後方に位置され、下ハーフ１３の左右のテープ出口部２５の間の空間を解放するとともに、底面３９に形成された２つの孔４０が下ハーフ１３のリール軸挿入孔２４に一致する。スライダ１８は、前方に位置するときに、下ハーフ１３の左右のテープ出口部２５の間の空間およびリール軸挿入孔２４を底面３９によって塞いで防塵する。
【００２４】
磁気テープカセット１０において、巻取ハブ１４には、その上端面に，２段からなる外径の異なる複数の歯面が形成されている。本実施形態では、巻取ハブ１４の上端部周面には、第１の歯面２９と、該第１の歯面２９に比較して径の大きい第２の歯面３０とが巻取ハブ１４の回転軸の方向に並んで一体的に形成されている。
【００２５】
ブレーキ部材１６は、カセット非使用時において、巻取ハブ１４が回動して磁気テープ１５が巻き緩みしないように、巻取ハブ１４の回転を禁止する機能を有する。ブレーキ部材１６は、本体３１と、一対のアーム３２とを備えており、上ハーフ１２に対してスライド可能に組み付けられている。
【００２６】
図２に示すように、ブレーキ部材１６には、本体３１から２つの制動片３３，３３がカセットケース１１の後方に突出するように形成されている。制動片３３には、上下（図２における上下の方向）に段違いに配された第１の刃部３４と、第２の刃部３５とがそれぞれ形成されている。ブレーキ部材１６は、ブレーキばね１７によって制動位置に付勢されている。ブレーキばね１７は、ねじりコイルばねであって、上ハーフ１２に設けられた突起３６に係止されている。
【００２７】
ブレーキ部材１６には、一対のアーム３２の先端部に、前面蓋２２の回動に伴い前面蓋２２の側壁内側に設けられた突起（不図示）に係合するフック部３７が形成されている。ブレーキ部材１６は、カセット非使用時に、ブレーキばね１７の弾性反発力によって、制動位置に付勢されることにより、制動片３３の各第１の刃部３４が巻取ハブ１４の第１の歯面２９と係合し、また、制動片３３の第２の刃部３５が巻取ハブ１４の第２の歯面３０に係合するように構成される。抗して、ブレーキ部材１７は、巻取ハブ１４の回転を禁止することで、磁気テープ１５の巻き緩みを防止する。
【００２８】
カセット使用時に、前面蓋２２が磁気テープ１５の引き出し部分２０を露出させる開位置まで回動されると、前面蓋２２の回動に連動してブレーキ部材１６が解除位置まで移動されるために、制動片３３の各第１の刃部３４及び第２の刃部３５が、巻取ハブ１４の各第１の歯面２９及び第２の歯面３０から離れ、この結果、巻取ハブ１４の回転を許容する。
【００２９】
図２に示すように、ブレーキ部材１６には、本体３１の幅方向に摺接板部４１が連続的に形成されており、その上面が上ハーフ１２の内底面に摺動する。摺接板部４１の中央部には、幅方向に切欠き溝４２が形成されている。また、本体３１の中央部には、ばね溝４３が形成されており、ばね溝４３にブレーキばね１７の先端部が掛止されている。そして、一対のアーム３２の中間部には、Ｌ字状の突起４４が形成されており、突起４４は、制動片３３の第１の刃部３４及び第２の刃部３５が第１の歯面２９及び第２の歯面３０にそれぞれ係合しているときに、衝撃等によって係合が解除されないようにするためのストッパの機能を有する。
【００３０】
図３は、図１に示す磁気テープカセットの巻取ハブとブレーキ部材との組み合わせを示す斜視図である。図３に示すように、巻取ハブ１４の上端部周面に配された第１の歯面２９は、小径に形成されており、第２の歯面３０は、第１の歯部２９の下方側に２段となって第１の歯面２９よりも小径に形成されている。また、制動片３３に形成された第１の刃部３４は、第１の歯面２９の高さとほぼ同一の高さを有する三角柱形状であって、巻取ハブ１４の第１の歯面２９に係合可能な形状である。第２の刃部３５は、第２の歯面３０の高さとほぼ同一の高さを有する三角柱形状であって、巻取ハブ１４の第２の歯面３０に係合可能な形状である。また、第２の刃部３５は、第１の刃部３４よりも巻取ハブ１４に対して離れた位置に形成されている。
【００３１】
ブレーキ部材１６が、制動位置まで移動した際に、制動片３３の第１の刃部３４の頂部が、巻取ハブ１４の第１の歯面２９における谷部に係合され、制動片３３の第２の刃部３５の頂部が、巻取ハブ１４の第２の歯面３０における谷部（歯同士の間）に係合される。このとき、第１の刃部３４及び第２の３５が巻取ハブ１４における第１の歯面２９及び第２の歯面３０に係合されるために、制動片３３によって巻取ハブ１４にかかる制動力がより大きくなり、磁気テープ１５の質量が大きくなることによって全体の質量が増大した巻取ハブ１４の回転を確実に防止することができる。従って、磁気テープ１５の幅が増大することによって巻取ハブ１４を含めた磁気テープ１５の質量が増大したとしても、確実な制動を行うことにより磁気テープ１５の巻き緩みを確実に防止することができる。
【００３２】
なお、巻取ハブ１４に巻回された磁気テープ１５に対し、上ハーフ１２との間及び下ハーフ１３との間に図示しないシートを組み付けるのが好ましい。シートは、厚さの小さい板状をなすものであって、磁気テープ１５との滑り性、弾力性の観点からポリエチレン（ＰＥ）、特に高密度ＰＥで形成されるのが好ましく、多孔質シートであってもよい。このシートは、磁気テープ１５を保持し且つ保護するとともに、巻取ハブ１４，１４が回転する際の摺動抵抗を下げて回転を滑らかにする機能を有する。
【００３３】
第１実施形態の磁気テープカセット１０によれば、ブレーキ部材１６が制動位置に位置されることにより、ブレーキ部材１６の制動片３３に有する複数の第１の刃部３４及び第２の刃部３５が、巻取ハブにおける第１の歯部２９及び第２の歯部３０にそれぞれ係合され、巻取ハブ１４の回転が禁止される。このため、磁気テープ１５の幅が増大することによって巻取ハブ１４を含めた磁気テープ１５の質量が増大したとしても、確実な制動を行うことにより磁気テープ１５の巻き緩みを確実に防止することができる。
【００３４】
次に、本発明に係る磁気テープカセットの第２実施形態について説明する。なお、第２実施形態において第１実施形態と同一または同等部分については、同一の符号を付し、説明を省略或いは簡略化する。
【００３５】
図４は、本発明に係る磁気テープカセットの第２実施形態における巻取ハブとブレーキ部材との組み合わせを示す斜視図である。
図４に示すように、本実施形態の巻取ハブ５４には、その上部に単一の歯車５１が形成されている。そして、ブレーキ部材１６の制動片３３には、複数（本実施形態では３個）の刃部５２ａ，５２ｂ，５２ｃが形成されている。
【００３６】
制動片３３に形成された刃部５２ａ，５２ｂ，５２ｃは、それぞれが巻取ハブ５４の歯車５１の高さと同一の高さを有し、巻取ハブ５４の歯車５１の外径円周に沿って円弧状をなすものとして歯車５１のピッチに合わせて並列に配されている。
【００３７】
本実施形態において、図１を参照すると、ブレーキ部材１６が制動位置まで移動した際に、制動片３３の刃部５２ａ，５２ｂ，５２ｃの頂部が巻取ハブ５４の歯車５１の谷部にそれぞれ係合される。このとき、３つの刃部５２ａ，５２ｂ，５２ｃが巻取ハブ５４の１つの歯車５１に係合されるため、制動片３３によって巻取ハブ５４にかかる制動力が大きくなる。こうして、磁気テープ１５の質量が大きくなることによって全体の質量が増大した場合であっても、巻取ハブ５４の回転を規制し、磁気テープ１５の巻き緩みを確実に防止することができる。
【００３８】
なお、本発明は、前述した実施形態に限定されるものではなく、適宜、変形、改良等が可能である。
例えば、第１実施形態における巻取ハブ上の複数の歯部は、図示した２段に限定されず、成形の容易性及び巻取りハブの機械的強度を考慮したうえで、３段以上としてもよい。また、第２実施形態における制動片の複数の刃部は、図示した３個に限定されず、２個或いは４個以上であってもよい。
【図面の簡単な説明】
【００３９】
【図１】本発明に係る磁気テープカセットの第１実施形態を示す分解斜視図である。
【図２】図１に示す磁気テープカセットに用いられるブレーキ部材の斜視図である。
【図３】図１に示す磁気テープカセットの巻取ハブとブレーキ部材との組み合わせを示す斜視図である。
【図４】本発明に係る磁気テープカセットの第２実施形態における巻取ハブとブレーキ部材との組み合わせを示す斜視図である。
【図５】従来の磁気テープカセットの分解斜視図である。
【符号の説明】
【００４０】
１０      磁気テープカセット
１１      カセットケース
１２      上ハーフ
１３      下ハーフ
１４      巻取ハブ
１５      磁気テープ
１６      ブレーキ部材
２９      第１の歯面
３０      第２の歯面
３３      制動片
３４      第１の刃部
３５      第２の刃部
５１      歯車
５２ａ，５２ｂ，５２ｃ      刃部
【図１】
2005243077.tif 000003
【図２】
2005243077.tif 000004
【図３】
2005243077.tif 000005
【図４】
2005243077.tif 000006
【図５】
2005243077.tif 000007